(57)【要約】      （修正有）【課題】点検作業において、ヒューマンエラーの発生を抑制する点検管理装置を提供する。【解決手段】点検管理システムにおいて、情報端末２００を収容する収容部材が有する点検管理装置１００は、収容空間における点検札の存否を示す検出データを取得する検出データ取得部１１１と、検出データに基づいて、規定数の点検札が収容空間に存在すると判定されたとき、入力データの入力を制限されている情報端末に解除指令を出力する解除指令出力部１１３と、を備える。【選択図】図４
2020042351.tif 000002
【特許請求の範囲】
【請求項１】
収容空間における点検札の存否を示す検出データを取得する検出データ取得部と、
前記検出データに基づいて、規定数の前記点検札が前記収容空間に存在すると判定されたとき、入力データの入力を制限されている情報端末に解除指令を出力する解除指令出力部と、
を備える点検管理装置。
【請求項２】
１つの前記収容空間に１つの前記点検札が収容され、
前記解除指令出力部は、前記点検札が規定数の前記収容空間のそれぞれに存在すると判定されたとき、前記解除指令を出力する、
請求項１に記載の点検管理装置。
【請求項３】
前記入力データは、点検作業の終了を示す点検終了データを含み、
前記情報端末は、前記解除指令に基づいて、前記点検終了データの入力を受け付ける、
請求項１又は請求項２に記載の点検管理装置。
【請求項４】
対象から外された前記点検札が前記収容空間に収容され、
前記検出データに基づいて、前記点検札が外されていない前記対象を抽出する対象抽出部と、
前記対象抽出部の抽出データに基づいて、前記点検札が外されていない前記対象を示す指示データを前記情報端末の表示装置に表示させる表示指示部と、を備える、
請求項１から請求項３のいずれか一項に記載の点検管理装置。
【請求項５】
対象から外された前記点検札が前記収容空間に収容され、
前記検出データに基づいて、前記点検札が外されている前記対象を抽出する対象抽出部と、
前記対象抽出部の抽出データに基づいて、前記点検札が外されている前記対象を示す指示データを前記情報端末の表示装置に表示させる表示指示部と、を備える、
請求項１から請求項３のいずれか一項に記載の点検管理装置。
【請求項６】
前記指示データは、規定数の前記対象のそれぞれに前記点検札を付ける順番を示す数値データを含む、
請求項５に記載の点検管理装置。
【請求項７】
前記指示データは、前記対象の位置データを含む、
請求項４から請求項６のいずれか一項に記載の点検管理装置。
【発明の詳細な説明】
【技術分野】
【０００１】
本発明は、点検管理装置に関する。
【背景技術】
【０００２】
管理対象を管理するために札が使用される場合がある。特許文献１には、物品を管理するために電子札を使用する技術が開示されている。
【先行技術文献】
【特許文献】
【０００３】
【特許文献１】特開２０１４−１９９６６８号公報
【発明の概要】
【発明が解決しようとする課題】
【０００４】
工場のような産業施設に設置されている機器の点検作業を行う場合、点検札が使用される場合がある。点検札とは、機器の点検作業中であることを掲示する札をいう。作業者は、点検作業の開始前に、点検対象の機器及び周辺の機器を点検モードに移行する作業と、機器に点検札を付ける作業とを実施する。作業者は、点検作業の終了後に、機器を通常モードに移行する作業と、機器から点検札を外す作業とを実施する。
【０００５】
点検作業の終了後に、機器を通常モードに移行する作業及び機器から点検札を外す作業を作業者が失念してしまう可能性がある。点検作業が終了したにもかかわらず、機器が通常モードに移行されていないと、機器の正常な運転が阻害される。
【０００６】
本発明の態様は、点検作業においてヒューマンエラーの発生を抑制することを目的とする。
【課題を解決するための手段】
【０００７】
本発明の態様に従えば、収容空間における点検札の存否を示す検出データを取得する検出データ取得部と、前記検出データに基づいて、規定数の前記点検札が前記収容空間に存在すると判定されたとき、入力データの入力を制限されている情報端末に解除指令を出力する解除指令出力部と、を備える点検管理装置が提供される。
【発明の効果】
【０００８】
本発明の態様によれば、点検作業においてヒューマンエラーの発生を抑制することができる。
【図面の簡単な説明】
【０００９】
【図１】図１は、実施形態に係るボイラシステムを示す模式図である。
【図２】図２は、実施形態に係る点検管理システムを示す模式図である。
【図３】図３は、実施形態に係る収容部材を模式的に示す断面図である。
【図４】図４は、実施形態に係る点検管理装置及び情報端末を示すブロック図である。
【図５】図５は、実施形態に係る解除指令出力部の処理を説明するための図である。
【図６】図６は、実施形態に係る対象抽出部の処理を説明するための図である。
【図７】図７は、実施形態に係る点検作業の開始前の点検管理方法を示すフローチャートである。
【図８】図８は、実施形態に係る表示指示部の処理を説明するための図である。
【図９】図９は、実施形態に係る表示指示部の処理を説明するための図である。
【図１０】図１０は、実施形態に係る点検作業の終了後の点検管理方法を示すフローチャートである。
【図１１】図１１は、実施形態に係る表示指示部の処理を説明するための図である。
【図１２】図１２は、実施形態に係る表示指示部の処理を説明するための図である。
【図１３】図１３は、実施形態に係る表示装置に表示される表示データを示す図である。
【発明を実施するための形態】
【００１０】
以下、本発明に係る実施形態について図面を参照しながら説明するが、本発明はこれに限定されない。以下で説明する実施形態の構成要素は適宜組み合わせることができる。また、一部の構成要素を用いない場合もある。
【００１１】
［ボイラシステム］
図１は、本実施形態に係るボイラシステム１を示す模式図である。ボイラシステム１は、水管２及び缶体３を含むボイラ本体４と、ボイラ本体４に接続される流通ライン５とを備える。流通ライン５は、ボイラ本体４に供給される給水が流通する給水ライン５Ａ、ボイラ本体４から排出された排水が流通する排水ライン５Ｂ、ボイラ本体４で生成された蒸気が流通する蒸気ライン５Ｃ、及びボイラ本体４に供給される燃料が流通する燃料ライン５Ｄの少なくとも一つを含む。流通ライン５を流通する流通物は、給水、排水、蒸気、及び燃料の少なくとも一つを含む。
【００１２】
流通物の流通を遮断する遮断装置６が流通ライン５に設けられる。遮断装置６は、給水ライン５Ａに設けられる給水バルブ６Ａ、排水ライン５Ｂに設けられる排水バルブ６Ｂ、蒸気ライン５Ｃに設けられる蒸気バルブ６Ｃ、及び燃料ライン５Ｄに設けられる燃料バルブ６Ｄの少なくとも一つを含む。給水バルブ６Ａが操作されることにより、給水ライン５Ａにおける給水の流通が遮断される。排水バルブ６Ｂが操作されることにより、排水ライン５Ｂにおける排水の流通が遮断される。蒸気バルブ６Ｃが操作されることにより、蒸気ライン５Ｃにおける蒸気の流通が遮断される。燃料バルブ６Ｄが操作されることにより、燃料ライン５Ｄにおける燃料の流通が遮断される。
【００１３】
なお、流通ライン５が電流を流通させる電気ラインを含み、流通物が電流を含み、遮断装置６が電気ラインに設けられるスイッチを含んでもよい。例えばボイラ本体４が電子機器を有する場合又はボイラ本体４が電気ボイラを含む場合、ボイラ本体４に供給される電流が電気ラインを流通する。スイッチが操作されることにより、電気ラインにおける電流の流通が遮断される。
【００１４】
［点検管理システム］
図２は、本実施形態に係る点検管理システム１０を示す模式図である。点検管理システム１０は、工場のような産業施設に設置されている機器の点検作業を管理する。機器の点検作業において、点検札２０が使用される。点検札２０とは、機器の点検作業中であることを掲示する札をいう。
【００１５】
点検作業を実施する作業者ＷＭは、点検作業の開始前に、点検対象の機器及び周辺の機器を点検モードに移行する作業と、機器に点検札２０を付ける作業とを実施する。作業者ＷＭは、点検作業の終了後に、機器を通常モードに移行する作業と、機器から点検札２０を外す作業とを実施する。
【００１６】
点検対象の機器として、ボイラ本体４が例示される。ボイラ本体４は、流通ライン５に接続される。点検対象の機器の周辺の機器として、流通ライン５に設けられた遮断装置６が例示される。本実施形態において、点検札２０を付ける対象は、遮断装置６であることとする。
【００１７】
産業施設において、遮断装置６は複数設けられる。図２は、便宜上、３つの遮断装置６を示す。なお、産業施設において、遮断装置６は４つ以上の任意の複数設けられてもよい。隣り合う遮断装置６は、近接していてもよいし、離れていてもよい。
【００１８】
機器を点検モードに移行する作業は、点検対象の機器を運転不可能な状態にする作業を含む。本実施形態において、機器を点検モードに移行する作業は、流通ライン５において流通物の流通を遮断する作業を含む。作業者ＷＭは、ボイラ本体４の点検作業の開始前に、遮断装置６を操作して、流通ライン５において流通物の流通を遮断する作業を実施する。遮断装置６が操作されることにより、流通ライン５において流通物の流通が遮断される。また、作業者ＷＭは、ボイラ本体４の点検作業の開始前に、流通物の流通を遮断した遮断装置６に点検札２０を付ける作業を実施する。
【００１９】
機器を通常モードに移行する作業は、点検対象の機器を運転可能な状態にする作業を含む。本実施形態において、機器を通常モードに移行する作業は、流通ライン５において流通物を流通可能にする作業を含む。作業者ＷＭは、ボイラ本体４の点検作業の終了後に、遮断装置６を操作して、流通ライン５において流通物を流通可能にする作業を実施する。遮断装置６が操作されることにより、流通ライン５において流通物が流通可能になる。また、作業者ＷＭは、ボイラ本体４の点検作業の終了後に、流通物を流通可能にした遮断装置６から点検札２０を外す作業を実施する。
【００２０】
図２に示すように、点検管理システム１０は、点検札２０と、点検札２０が収容される収容空間３０を有する収容部材４０と、点検管理装置１００と、情報端末２００とを備える。
【００２１】
点検札２０は、ボイラ本体４の点検作業中であることを掲示する。点検札２０は、流通ライン５において流通物の流通が遮断されていることを掲示する。点検札２０は、作業者ＷＭによって遮断装置６に付けられる。点検札２０は、複数の遮断装置６のそれぞれに付けられる。
【００２２】
点検札２０は、プラスチック製又は金属製の板である。複数の点検札２０の形状及び大きさは等しい。点検札２０の一部に孔が設けられる。点検札２０の孔に紐が通される。紐が遮断装置６に掛けられることによって、点検札２０が遮断装置６に付けられる。
【００２３】
収容部材４０は、点検札２０を収容可能な複数の収容空間３０を有する。収容空間３０は、溝孔（slot）を含む。１つの収容空間３０に１つの点検札２０が収容されるように、点検札２０の形状及び大きさに合わせて収容空間３０が形成される。作業者ＷＭは、点検札２０を収容空間３０に挿入することができる。作業者ＷＭは、収容空間３０から点検札２０を抜去することができる。作業者ＷＭは、収容部材４０を携帯することができる。
【００２４】
点検管理装置１００は、コンピュータシステムを含む。本実施形態において、点検管理装置１００は、収容部材４０に設けられる。点検管理装置１００は、情報端末２００と通信する。点検管理装置１００と情報端末２００との通信の形態は、無線通信でもよいし、有線通信でもよい。本実施形態において、点検管理装置１００は、情報端末２００と無線通信することとする。
【００２５】
情報端末２００は、コンピュータシステムを含む。情報端末２００は、タブレット型コンピュータ又はパーソナルコンピュータのようなコンピュータシステムを含み、作業者ＷＭに操作される。また、作業者ＷＭのみならず、点検作業を発注した発注者又は点検作業の管理者も、情報端末２００を操作することができる。情報端末２００は、点検管理装置１００と無線通信する。
【００２６】
［収容部材］
図３は、本実施形態に係る収容部材４０を模式的に示す断面図である。収容部材４０は、点検札２０が収容される収容空間３０を有する。収容空間３０は、収容部材４０に複数設けられる。本実施形態において、収容空間３０は、収容部材４０に８つ設けられる。なお、収容空間３０は、収容部材４０に９つ以上の任意の複数設けられてもよいし、７つ以下の任意の複数設けられてもよい。
【００２７】
収容部材４０は、収容空間３０における点検札２０の存否を検出するセンサ５０を有する。センサ５０は、点検札２０が収容空間３０に収容されたこと又は点検札２０が収容空間３０に収容されていないことを検出する。センサ５０は、複数の収容空間３０のそれぞれに設けられる。センサ５０の検出データは、点検管理装置１００に出力される。
【００２８】
センサ５０は、収容空間３０に点検札２０が存在するときに、収容空間３０における点検札２０の存在を示す検出データを出力する。センサ５０は、点検札２０と接触することによって点検札２０が収容空間３０に収容されたことを検出する接触式センサである。なお、センサ５０は、検出光を射出する発光素子及び点検札２０で反射した検出光を受光可能な受光素子を有し、受光素子の受光データに基づいて点検札２０が収容空間３０に収容されたことを検出する非接触式センサ（光学式センサ）でもよい。
【００２９】
なお、センサ５０は、収容空間３０に点検札２０が存在しないときに、収容空間３０における点検札２０の不存在を示す検出データを出力してもよい。
【００３０】
［点検管理装置及び情報端末］
図４は、本実施形態に係る点検管理装置１００及び情報端末２００を示すブロック図である。
【００３１】
点検管理装置１００は、処理装置１１０と、通信装置１２０とを含む。処理装置１１０は、ＣＰＵ（Central  Processing  Unit）のようなプロセッサと、ＲＯＭ（Read  Only  Memory）又はＲＡＭ（Random  Access  Memory）のようなメモリとを有する。通信装置１２０は、情報端末２００と無線通信する。
【００３２】
情報端末２００は、処理装置２１０と、通信装置２２０と、入力装置２３０と、表示装置２４０とを有する。処理装置２１０は、ＣＰＵのようなプロセッサと、ＲＯＭ又はＲＡＭのようなメモリとを有する。通信装置２２０は、点検管理装置１００と無線通信する。入力装置２３０は、操作されることにより入力データを生成する。入力装置２３０として、タッチパネル、コンピュータ用キーボード、及びマウスの少なくとも一つが例示される。表示装置２４０は、表示データを表示する。表示装置２４０として、液晶ディスプレイ（Liquid  Crystal  Display：ＬＣＤ）又は有機ＥＬディスプレイ（Organic  Electroluminescence  Display：ＯＥＬＤ）のようなフラットパネルディスプレイが例示される。
【００３３】
＜点検管理装置＞
点検管理装置１００の処理装置１１０は、検出データ取得部１１１と、判定部１１２と、解除指令出力部１１３と、対象抽出部１１４と、表示指示部１１５とを有する。
【００３４】
検出データ取得部１１１は、収容空間３０における点検札２０の存否を示すセンサ５０の検出データを取得する。センサ５０の検出データは、収容空間３０における点検札２０の存否データを含む。図３に示したように、センサ５０は、複数の収容空間３０のそれぞれに設けられる。検出データ取得部１１１は、複数のセンサ５０のそれぞれから検出データを取得する。
【００３５】
判定部１１２は、検出データ取得部１１１により取得された検出データに基づいて、規定数の点検札２０が収容空間３０に存在するか否かを判定する。上述のように、１つの収容空間３０に１つの点検札２０が収容される。本実施形態において、規定数は、収容部材４０に設けられている収容空間３０の総数である。図２及び図３に示したように、収容空間３０が収容部材４０に８つ設けられる場合、規定数は８である。
【００３６】
すなわち、判定部１１２は、検出データ取得部１１１により取得された検出データに基づいて、点検札２０が規定数の収容空間３０のそれぞれに存在するか否かを判定する。換言すれば、判定部１１２は、収容部材４０に設けられている全ての収容空間３０に点検札２０が存在するか否かを判定する。
【００３７】
解除指令出力部１１３は、規定数の点検札２０が収容空間３０に存在すると判定部１１２により判定されたとき、特定の入力データの入力を制限されている情報端末２００に解除指令を出力する。解除指令出力部１１３は、点検札２０が規定数の収容空間３０のそれぞれに存在すると判定部１１２により判定されたとき、解除指令を出力する。解除指令出力部１１３から出力された解除指令は、通信装置１２０を介して情報端末２００に送信される。
【００３８】
対象抽出部１１４は、検出データ取得部１１１により取得された検出データに基づいて、点検札２０が外されていない遮断装置６及び点検札２０が外されている遮断装置６を抽出する。点検札２０が外されていない遮断装置６は、点検札２０が付けられている遮断装置６を意味する。点検札２０が外されている遮断装置６は、点検札２０が付けられていない遮断装置６を意味する。対象抽出部１１４は、検出データ取得部１１１により取得された検出データに基づいて、点検札２０が付けられている遮断装置６及び点検札２０が付けられていない遮断装置６を特定し抽出する。
【００３９】
表示指示部１１５は、点検札２０が外されていない遮断装置６を抽出した対象抽出部１１４の抽出データに基づいて、点検札２０が外されていない遮断装置６を示す指示データＭ１を情報端末２００の表示装置２４０に表示させる表示指令を出力する。また、表示指示部１１５は、点検札２０が外されている遮断装置６を抽出した対象抽出部１１４の抽出データに基づいて、点検札２０が外されている遮断装置６を示す指示データＭ２を情報端末２００の表示装置２４０に表示させる表示指令を出力する。指示データＭ１は、点検札２０が付けられている遮断装置６を示す表示データを含む。指示データＭ２は、点検札２０が付けられていない遮断装置６を示す表示データを含む。表示指示部１１５から出力された表示指令は、通信装置１２０を介して情報端末２００に送信される。
【００４０】
＜情報端末＞
情報端末２００の処理装置２１０は、入力データ取得部２１１と、解除部２１２と、記憶部２１３と、表示制御部２１４とを有する。
【００４１】
入力データ取得部２１１は、入力装置２３０が操作されることにより生成された入力データを取得する。
【００４２】
解除部２１２は、解除指令出力部１１３から出力された解除指令を、通信装置２２０を介して取得する。解除部２１２は、解除指令に基づいて、特定の入力データの入力を制限されている情報端末２００の制限を解除する。
【００４３】
解除指令出力部１１３から解除指令が出力されていないとき、情報端末２００は、特定の入力データの入力を制限される。解除指令出力部１１３から解除指令が出力されたとき、情報端末２００は、解除指令に基づいて、特定の入力データの入力を受け付ける。
【００４４】
本実施形態において、解除指令出力部１１３から解除指令が出力されていないとき、入力装置２３０の操作により特定の入力データが生成された場合でも、入力データ取得部２１１は、特定の入力データの取得を拒否する。解除指令出力部１１３から解除指令が出力され、入力装置２３０の操作により特定の入力データが生成された場合、入力データ取得部２１１は、特定の入力データを取得する。
【００４５】
特定の入力データは、点検作業の終了を示す点検終了データを含む。点検作業の終了後に、点検作業を発注した発注者又は点検作業の管理者は、入力装置２３０を操作して、点検作業が終了したことを承認する点検終了データを入力する。解除指令が出力されていないとき、入力装置２３０の操作により点検終了データが生成された場合でも、入力データ取得部２１１は、点検終了データの取得を拒否する。解除指令が出力され、入力装置２３０の操作により点検終了データが生成された場合、入力データ取得部２１１は、点検終了データを取得する。
【００４６】
記憶部２１３は、入力データ取得部２１１により取得された入力データを記憶する。
【００４７】
表示制御部２１４は、表示指示部１１５から出力された表示指令を、通信装置２２０を介して取得する。表示制御部２１４は、表示指令に基づいて、表示データを表示装置２４０に表示させる。
【００４８】
＜解除指令出力部の処理＞
図５は、本実施形態に係る解除指令出力部１１３の処理を説明するための図である。点検作業中において点検札２０が遮断装置６に付けられる。点検作業の終了後、作業者ＷＭは、複数の遮断装置６のそれぞれから点検札２０を外す。遮断装置６から外された点検札２０は、収容空間３０に収容される。作業者ＷＭは、遮断装置６から外した点検札２０を収容部材４０に設けられている規定数の収容空間３０のそれぞれに収容する。
【００４９】
図５（Ａ）に示すように、一部の遮断装置６から点検札２０が外され一部の遮断装置６に点検札２０が付けられている状態においては、点検札２０が収容されている収容空間３０と点検札２０が収容されていない収容空間３０との両方が存在する。規定数の収容空間３０のうち少なくとも１つの収容空間３０に点検札２０が存在しない状態において、情報端末２００は、特定の入力データの入力を制限される。すなわち、規定数の収容空間３０のうち少なくとも１つの収容空間３０に点検札２０が存在しない状態において、入力装置２３０の操作により特定の入力データが生成された場合でも、入力データ取得部２１１は、特定の入力データの取得を拒否する。上述のように、特定の入力データは、点検作業の終了を示す点検終了データを含む。
【００５０】
図５（Ｂ）に示すように、全ての遮断装置６から点検札２０が外された状態においては、点検札２０は規定数の収容空間３０の全てに収容される。全ての収容空間３０に点検札２０が存在する状態において、情報端末２００は、特定の入力データの入力を受け付ける。すなわち、全ての収容空間３０に点検札２０が存在する場合、判定部１１２は、検出データ取得部１１１により取得されたセンサ５０の検出データに基づいて、点検札２０が規定数の収容空間３０のそれぞれに存在すると判定する。解除指令出力部１１３は、点検札２０が規定数の収容空間３０のそれぞれに存在すると判定部１１２により判定されたとき、解除指令を出力する。解除指令が出力されることにより、情報端末２００は、特定の入力データの入力を受け付ける。入力装置２３０の操作により特定の入力データが生成された場合、入力データ取得部２１１は、特定の入力データを取得する。点検作業を発注した発注者又は点検作業の管理者によって入力装置２３０が操作され、点検終了データが生成された場合、入力データ取得部２１１は、点検終了データを取得する。
【００５１】
＜対象抽出部の処理＞
図６は、本実施形態に係る対象抽出部１１４の処理を説明するための図である。本実施形態においては、遮断装置６と点検札２０と収容空間３０とが関連付けられる。第１の点検札２０は、規定数の遮断装置６のうち第１の遮断装置６に付けられる。第１の遮断装置６から外された第１の点検札２０は、規定数の収容空間３０のうち第１の収容空間３０に収容される。第２の点検札２０は、規定数の遮断装置６のうち第２の遮断装置６に付けられる。第２の遮断装置６から外された第２の点検札２０は、規定数の収容空間３０のうち第２の収容空間３０に収容される。同様に、第３から第８の点検札２０のそれぞれは、第３から第８の遮断装置６のそれぞれに付けられる。第３から第８の遮断装置６のそれぞれから外された第３から第８の点検札２０のそれぞれは、第３から第８の収容空間３０のそれぞれに収容される。
【００５２】
規定数の遮断装置６のそれぞれは、産業施設における遮断装置６の位置に基づいて特定される。
【００５３】
点検札２０を特定するための番号が、規定数の点検札２０のそれぞれに付される。規定数の点検札２０のそれぞれは、点検札２０に付されている番号に基づいて特定される。
【００５４】
収容空間３０を特定するための番号が、規定数の収容空間３０のそれぞれに付される。規定数の収容空間３０のそれぞれは、収容空間３０に付されている番号に基づいて特定される。
【００５５】
点検作業の開始前に規定数の遮断装置６のそれぞれに点検札２０を付けるとき、作業者ＷＭは、点検札２０に付されている番号を確認しながら、第１の遮断装置６に第１の点検札２０を付け、第２の遮断装置６に第２の点検札２０を付ける。同様に、作業者ＷＭは、第３から第８の遮断装置６のそれぞれに、第３から第８の点検札２０のそれぞれを付ける。
【００５６】
点検作業の終了後に規定数の遮断装置６のそれぞれから点検札２０を外して収容空間３０に収容するとき、作業者ＷＭは、点検札２０に付されている番号及び収容空間３０に付されている番号を確認しながら、第１の収容空間３０に第１の点検札２０を収容し、第２の収容空間３０に第２の点検札２０を収容する。同様に、作業者ＷＭは、第３から第８の収容空間３０のそれぞれに第３から第８の点検札２０のそれぞれを収容する。
【００５７】
対象抽出部１１４は、検出データ取得部１１１により取得されたセンサ５０の検出データに基づいて、点検札２０が付けられている遮断装置６及び点検札２０が外されている遮断装置６を特定し抽出することができる。例えば、第１の収容空間３０に設けられているセンサ５０が第１の収容空間３０に点検札２０が存在しないことを検出したとき、対象抽出部１１４は、第１の収容空間３０に設けられているセンサ５０の検出データに基づいて、第１の遮断装置６から第１の点検札２０が外されていないと判定することができる。これにより、対象抽出部１１４は、点検札２０が付けられている遮断装置６を特定し抽出することができる。また、例えば、第２の収容空間３０に設けられているセンサ５０が第２の収容空間３０に点検札２０が存在することを検出したとき、対象抽出部１１４は、第２の収容空間３０に設けられているセンサ５０の検出データに基づいて、第２の遮断装置６から第２の点検札２０が外されていると判定することができる。これにより、対象抽出部１１４は、点検札２０が外されている遮断装置６を特定し抽出することができる。
【００５８】
［点検管理方法］
次に、本実施形態に係る点検管理方法について説明する。本実施形態において、点検管理は、点検作業の開始前の点検管理と、点検作業中の点検管理と、点検作業の終了後の点検管理とを含む。
【００５９】
＜点検作業の開始前の点検管理＞
点検作業の開始前の点検管理について説明する。図７は、本実施形態に係る点検作業の開始前の点検管理方法を示すフローチャートである。
【００６０】
点検作業の開始前に、規定数の遮断装置６を点検モードに移行する作業と、規定数の遮断装置６のそれぞれに点検札２０を付ける作業とが実施される。
【００６１】
規定数の遮断装置６のそれぞれに点検札２０を付ける作業が実施される前においては、規定数の点検札２０が収容部材４０の収容空間３０に収容されている。複数の収容空間３０のそれぞれに設けられているセンサ５０は、収容空間３０における点検札２０の存否を示す検出データを出力する。検出データ取得部１１１は、複数のセンサ５０のそれぞれから検出データを取得する（ステップＳＡ１）。
【００６２】
対象抽出部１１４は、ステップＳＡ１において取得された検出データに基づいて、点検札２０が付けられている遮断装置６及び点検札２０が付けられていない遮断装置６を抽出する（ステップＳＡ２）。
【００６３】
表示指示部１１５は、ステップＳＡ２において抽出された抽出データに基づいて、点検札２０が付けられている遮断装置６を示す指示データＭ１及び点検札２０が付けられていない遮断装置６を示す指示データＭ２を表示装置２４０に表示させる表示指示を出力する（ステップＳＡ３）。
【００６４】
図８及び図９のそれぞれは、本実施形態に係る点検作業の開始前における表示指示部１１５の処理を説明するための図であり、表示装置２４０に表示される表示データの一例を示す図である。
【００６５】
表示装置２４０に表示される表示データは、遮断装置６が設けられている産業施設のマップデータを含む。また、表示装置２４０に表示される表示データは、遮断装置６を示すアイコン（icon）を含む。図８及び図９に示す例において、第１の遮断装置６がアイコン６１で示され、第２の遮断装置６がアイコン６２で示される。同様に、第３の遮断装置６から第８の遮断装置６のそれぞれが、アイコン６３からアイコン６８で示される。マップデータにおける遮断装置６のアイコンの位置は、産業施設における遮断装置６の実際の位置を示す。
【００６６】
点検札２０が付けられていない遮断装置６を示す指示データＭ２は、点検札２０が付けられていない遮断装置６のアイコンの近傍に表示される。指示データＭ２は、点検札２０が付けられていない遮断装置６の位置データを含む。指示データＭ２は、図形データを含む。図８に示す例において、指示データＭ２は、点線の円を含む。
【００６７】
図８は、全ての遮断装置６に点検札２０が付けられていない状態の表示データを示す。全ての遮断装置６に点検札２０が付けられていない状態、すなわち、規定数の点検札２０の全てが収容空間３０に収容されている状態においては、図８に示すように、全てのアイコンの近傍に、指示データＭ２が表示される。
【００６８】
点検札２０が付けられていない遮断装置６を示す指示データＭ２は、規定数の遮断装置６のそれぞれに点検札２０を付ける順番を示す数値データを含む。点検札２０を付ける順番は、点検札２０を付ける作業が効率良く実施できるように予め決められている。図８に示す例において、順番を示す数値データが、点線の円の内側に表示される。アイコン６８で示される第８の遮断装置６に第１番目に点検札２０が付けられるように、数値データが表示される。アイコン６７で示される第７の遮断装置６に第２番目に点検札２０が付けられるように、数値データが表示される。同様に、アイコン６６で示される遮断装置６に第３番目に点検札２０が付けられ、アイコン６５で示される遮断装置６に第４番目に点検札２０が付けられ、アイコン６４で示される遮断装置６に第５番目に点検札２０が付けられ、アイコン６３で示される遮断装置６に第６番目に点検札２０が付けられ、アイコン６２で示される遮断装置６に第７番目に点検札２０が付けられ、アイコン６１で示される遮断装置６に第８番目に点検札２０が付けられるように、数値データが表示される。
【００６９】
作業者ＷＭは、収容部材４０及び情報端末２００を携帯しながら、規定数の遮断装置６を巡回する。作業者ＷＭは、表示装置２４０に表示されているマップデータを参照しながら、産業施設を効率良く移動することができる。また、作業者ＷＭは、表示装置２４０に表示されている点検札２０を付ける順番を示す数値データを参照しながら、数値データで示される順番に従って、規定数の遮断装置６を巡回する。
【００７０】
作業者ＷＭは、第８の遮断装置６に到着した後、第８の遮断装置６を操作して、流通ライン５において流通物の流通を遮断する作業を実施する。また、作業者ＷＭは、流通物の流通を遮断した第８の遮断装置６に第８の点検札２０を付ける作業を実施する。作業者ＷＭは、第８の収容空間３０から第８の点検札２０を抜去して、第８の遮断装置６に第８の点検札２０を付ける。
【００７１】
第８の収容空間３０から第８の点検札２０が抜去されると、第８の収容空間３０に設けられているセンサ５０は、第８の点検札２０が第８の収容空間３０に存在しないことを示す検出データを出力する。検出データ取得部１１１は、検出データを取得する。対象抽出部１１４は、検出データに基づいて、第８の遮断装置６に第８の点検札２０が付けられたと判定することができる。対象抽出部１１４は、検出データに基づいて、点検札２０が付けられた遮断装置６を特定し抽出することができる。
【００７２】
表示指示部１１５は、対象抽出部１１４から出力された抽出データに基づいて、点検札２０が付けられている遮断装置６を示す指示データＭ１を表示装置２４０に表示させる表示指示を出力する。
【００７３】
図９は、第８の遮断装置６に点検札２０が付けられ、第１から第７の遮断装置６のそれぞれに点検札２０が付けられていない状態の表示データを示す。第８の遮断装置６に点検札２０が付けられると、図９に示すように、アイコン６８の近傍に、指示データＭ１が表示される。
【００７４】
点検札２０が付けられている遮断装置６を示す指示データＭ１は、点検札２０が付けられている遮断装置６のアイコンの近傍に表示される。指示データＭ１は、点検札２０が付けられている遮断装置６の位置データを含む。指示データＭ１は、図形データを含む。図９に示す例において、指示データＭ１は、点線の円と円の内側に表示された点検札２０のアイコン２０Ｉとを含む。
【００７５】
図９に示すように、表示指示部１１５は、点検札２０が付けられている遮断装置６を示す指示データＭ１と、点検札２０が付けられていない遮断装置６を示す指示データＭ２とが異なる表示形態で表示されるように、表示指令を出力する。
【００７６】
判定部１１２は、検出データに基づいて、全ての遮断装置６に点検札２０が付けられたか否かを判定する（ステップＳＡ４）。
【００７７】
ステップＳＡ４において、点検札２０が付けられていない遮断装置６が存在すると判定された場合（ステップＳＡ４：Ｎｏ）、ステップＳＡ１からステップＳＡ３の処理が実行される。
【００７８】
作業者ＷＭは、収容部材４０及び情報端末２００を携帯しながら、複数の遮断装置６を巡回する。作業者ＷＭは、表示装置２４０に表示されている順番を示す数値データを参照しながら、遮断装置６を巡回する。作業者ＷＭは、遮断装置６を操作して、流通ライン５において流通物の流通を遮断する作業を実施する。また、作業者ＷＭは、流通物の流通を遮断した遮断装置６に点検札２０を付ける作業を実施する。作業者ＷＭは、流通ライン５において流通物の流通を遮断する作業と点検札２０を付ける作業とを、規定数の遮断装置６のそれぞれについて順次実施する。
【００７９】
収容空間３０から点検札２０が抜去され、遮断装置６に付けられると、対象抽出部１１４は、検出データに基づいて、点検札２０が付けられた遮断装置６を特定し抽出する。表示指示部１１５は、対象抽出部１１４から出力された抽出データに基づいて、点検札２０が付けられている遮断装置６を示す指示データＭ１を表示装置２４０に表示させる表示指示を出力する。例えば、第７の収容空間３０から第７の点検札２０が抜去されると、第７の遮断装置６を示すアイコン６７の近傍に指示データＭ１が表示される。
【００８０】
ステップＳＡ４において、全ての遮断装置６に点検札２０が付けられたと判定されるまで、ステップＳＡ１からステップＳＡ３の処理が実行される。
【００８１】
ステップＳＡ４において、全ての遮断装置６に点検札２０が付けられたと判定された場合（ステップＳＡ４：Ｙｅｓ）、点検作業前管理方法が終了する。
【００８２】
＜点検作業中の点検管理＞
次に、点検作業中の点検管理について説明する。流通物の流通が遮断され、遮断装置６に点検札２０が付けられた後、作業者ＷＭは、点検作業を開始する。点検作業中において、遮断装置６に点検札２０が付けられているので、作業者ＷＭは、流通物の流通が遮断されていることを認識することができる。
【００８３】
作業者ＷＭは、点検作業中において、情報端末２００の入力装置２３０を操作して、例えば点検の内容又は進捗を記録する。入力装置２３０が操作されることにより生成された点検の内容又は進捗を示す入力データは、記憶部２１３に記憶される。
【００８４】
＜点検作業の終了後の点検管理＞
次に、点検作業の終了後の点検管理について説明する。図１０は、本実施形態に係る点検作業の終了後の点検管理方法を示すフローチャートである。
【００８５】
点検作業の終了後に、規定数の遮断装置６を通常モードに移行する作業と、規定数の遮断装置６のそれぞれから点検札２０を外す作業とが実施される。
【００８６】
規定数の遮断装置６のそれぞれから点検札２０を外す作業が実施される前においては、収容部材４０の収容空間３０に点検札２０は収容されていない。複数の収容空間３０のそれぞれに設けられているセンサ５０は、点検札２０が収容空間３０に存在しないことを示す検出データを出力する。検出データ取得部１１１は、複数のセンサ５０のそれぞれから検出データを取得する（ステップＳＢ１）。
【００８７】
対象抽出部１１４は、ステップＳＢ１において取得された検出データに基づいて、点検札２０が外されている遮断装置６及び点検札２０が外されていない遮断装置６を抽出する（ステップＳＢ２）。
【００８８】
表示指示部１１５は、ステップＳＢ２において抽出された抽出データに基づいて、点検札２０が外されている遮断装置６を示す指示データＭ２及び点検札２０が外されていない遮断装置６を示す指示データＭ１を表示装置２４０に表示させる表示指示を出力する（ステップＳＢ３）。
【００８９】
図１１及び図１２のそれぞれは、本実施形態に係る点検作業の開始前における表示指示部１１５の処理を説明するための図であり、表示装置２４０に表示される表示データの一例を示す図である。
【００９０】
図１１は、遮断装置６から点検札２０を外す作業が実施される前の表示データを示す。点検札２０が外されていない遮断装置６を示す指示データＭ１は、点検札２０が外されていない遮断装置６のアイコンの近傍に表示される。指示データＭ１は、点検札２０が外されていない遮断装置６の位置データを含む。指示データＭ１は、点線の円と円の内側に表示された点検札２０のアイコン２０Ｉとを含む。
【００９１】
作業者ＷＭは、収容部材４０及び情報端末２００を携帯しながら、規定数の遮断装置６を巡回する。作業者ＷＭは、表示装置２４０に表示されているマップデータを参照しながら、産業施設を効率良く移動することができる。
【００９２】
作業者ＷＭは、遮断装置６に到着した後、遮断装置６を操作して、流通ライン５において流通物を流通可能にする作業を実施する。また、作業者ＷＭは、流通物を流通可能にした遮断装置６から点検札２０を外す作業を実施する。作業者ＷＭは、遮断装置６から外した点検札２０を、収容部材４０の収容空間３０に挿入する。
【００９３】
収容空間３０に点検札２０が挿入されると、収容空間３０に設けられているセンサ５０は、点検札２０が収容空間３０に存在することを示す検出データを出力する。検出データ取得部１１１は、検出データを取得する。対象抽出部１１４は、検出データに基づいて、遮断装置６から点検札２０が外されたと判定することができる。すなわち、対象抽出部１１４は、検出データに基づいて、点検札２０が外された遮断装置６を特定し抽出することができる。
【００９４】
表示指示部１１５は、対象抽出部１１４から出力された抽出データに基づいて、点検札２０が外されている遮断装置６を示す指示データＭ２を表示装置２４０に表示させる表示指示を出力する。
【００９５】
図１２は、第１の遮断装置６から点検札２０が外され、第２から第８の遮断装置６のそれぞれに点検札２０が外されていない状態の表示データを示す。第１の遮断装置６から点検札２０が外されると、図１２に示すように、アイコン６１の近傍に、指示データＭ２が表示される。
【００９６】
判定部１１２は、検出データに基づいて、全ての遮断装置６から点検札２０が外されたか否かを判定する（ステップＳＢ４）。
【００９７】
ステップＳＢ４において、全ての遮断装置６から点検札２０が外されていないと判定された場合（ステップＳＢ４：Ｎｏ）、ステップＳＢ１からステップＳＢ３の処理が実行される。
【００９８】
作業者ＷＭは、収容部材４０及び情報端末２００を携帯しながら、複数の遮断装置６を巡回する。作業者ＷＭは、遮断装置６を操作して、流通ライン５において流通物を流通可能にする作業を実施する。また、作業者ＷＭは、流通物を流通可能にした遮断装置６から点検札２０を外す作業を実施する。作業者ＷＭは、流通ライン５において流通物を流通可能にする作業と点検札２０を外す作業とを、規定数の遮断装置６のそれぞれについて順次実施する。
【００９９】
遮断装置６から点検札２０が外され、収容空間３０に挿入されると、対象抽出部１１４は、検出データに基づいて、点検札２０が外された遮断装置６を抽出する。表示指示部１１５は、対象抽出部１１４から出力された抽出データに基づいて、点検札２０が外された遮断装置６を示す指示データＭ２を表示装置２４０に表示させる表示指示を出力する。例えば、第２の遮断装置６から第２の点検札２０が外され、第２の収容空間３０に収容されると、第２の遮断装置６を示すアイコン６２の近傍に指示データＭ２が表示される。
【０１００】
ステップＳＢ４において、全ての遮断装置６から点検札２０が外されたと判定されるまで、ステップＳＢ１からステップＳＢ３の処理が実行される。
【０１０１】
ステップＳＢ４において、全ての遮断装置６から点検札２０が外されたと判定された場合（ステップＳＢ４：Ｙｅｓ）、解除指令出力部１１３は、入力データの入力を制限されている情報端末２００に解除指令を出力する（ステップＳＢ５）。
【０１０２】
解除指令出力部１１３から出力された解除指令は、通信装置１２０を介して情報端末２００に送信される。解除部２１２は、解除指令出力部１１３から出力された解除指令を、通信装置２２０を介して取得する。解除部２１２は、解除指令に基づいて、特定の入力データの入力を制限されている情報端末２００の制限を解除する。情報端末２００は、解除指令に基づいて、特定の入力データである点検終了データの入力を受け付ける（ステップＳＢ６）。
【０１０３】
図１３は、本実施形態に係る表示装置２４０に表示される表示データを示す図である。点検作業が終了すると、例えば、点検作業中に記録され記憶部２１３に記憶されている点検の内容を示すレポートデータが表示装置２４０に表示される。点検作業を発注した発注者又は点検作業の管理者は、表示装置２４０に表示されたレポートデータを確認した後、入力装置２３０を操作して、点検作業が終了したことを承認する点検終了データを入力する。
【０１０４】
情報端末２００は、解除指令に基づいて、点検終了データの入力を受け付ける。発注者又は管理者が、入力装置２３０を操作することにより、点検終了データが生成される。入力装置２３０の操作により点検終了データが生成された場合、入力データ取得部２１１は、点検終了データを取得する。点検終了データが入力されることにより、点検作業の終了後の点検管理が終了する。
【０１０５】
［効果］
以上説明したように、本実施形態によれば、点検作業の終了後に通常モードに移行されるべき遮断装置６が規定数存在する場合、規定数の点検札２０及び収容空間３０が用意される。規定数の点検札２０が収容空間３０に存在すると判定されたときに、情報端末２００は、発注者又は管理者による点検終了データの入力を受け付ける。規定数の点検札２０が収容空間３０に存在しないとき、情報端末２００は、発注者又は管理者による点検終了データの入力を受け付けない。これにより、点検作業の終了後に、遮断装置６を通常モードに移行する作業及び遮断装置６から点検札２０を外す作業を作業者ＷＭが失念しても、情報端末２００が点検終了データの入力を受け付けないので、作業者ＷＭは、遮断装置６を通常モードに移行する作業及び遮断装置６から点検札２０を外す作業を作業者ＷＭが失念したことを気付くことができる。これにより、点検作業においてヒューマンエラーの発生が抑制される。
【０１０６】
本実施形態においては、点検札２０が付けられている遮断装置６を示す指示データＭ１と、点検札２０が外されている遮断装置６を示す指示データＭ２とが表示装置２４０に表示される。これにより、作業者ＷＭは、表示装置２４０の表示データを見て、点検札２０が付けられている遮断装置６と点検札２０が付けられていない遮断装置６とを円環に認識することができる。
【０１０７】
本実施形態においては、点検作業の開始前において、複数の遮断装置６のそれぞれに点検札２０を付ける順番を示す数値データが表示装置２４０に表示される。これにより、作業者ＷＭは、表示装置２４０の表示データを見て、規定数の遮断装置６を効率良く巡回することができる。また、作業者ＷＭが遮断装置６に点検札２０を付け忘れてしまうことが抑制される。
【０１０８】
［他の実施形態］
上述の実施形態においては、１つの収容空間３０に１つの点検札２０が収容されることとした。１つの収容空間３０に２つの点検札２０が収容されてもよい。１つの収容空間３０に収容される点検札２０の数が決められていればよい。
【０１０９】
上述の実施形態においては、点検終了データの入力が制限され、規定数の点検札２０が収容空間３０に存在すると判定されたときに、点検終了データの入力の制限が解除されることとした。入力が制限される入力データ及び制限が解除される入力データは、点検終了データでなくてもよい。
【０１１０】
上述の実施形態において、規定数は、収容部材４０に設けられている収容空間３０の数（８つ）であることとした。規定数は、収容部材４０に設けられている収容空間３０の一部の数（例えば６つ）でもよい。規定数は、変更されてもよい。例えば、作業者ＷＭが入力装置２３０を操作して、規定数を任意に設定してもよい。作業者ＷＭにより操作された入力装置２３０は、規定数を示す入力データを生成する。判定部１１２は、入力装置２３０により生成された規定数を示す入力データに基づいて、規定数の点検札２０が収容空間３０に存在するか否かを判定してもよい。また、作業者ＷＭ、発注者、及び管理者の少なくとも一つを含むユーザデータに基づいて、規定数が自動的に決定されてもよい。
【０１１１】
上述の実施形態において、処理装置１１０の少なくとも一部の機能が、情報端末２００に設けられてもよい。処理装置１１０の少なくとも一部の機能が情報端末２００に設けられる場合、センサ５０の検出データが通信装置１２０を介して情報端末２００に送信されることにより、情報端末２００に設けられている処理装置１１０は、上述の実施形態で説明した処理を実行することができる。また、処理装置１１０の少なくとも一部の機能が、アプリケーションソフトウエア（コンピュータプログラム）として情報端末２００にインストールされてもよい。
【０１１２】
上述の実施形態において、指示データＭ１と指示データＭ２とは異なる表示形態で表示されればよい。例えば指示データＭ１が点灯表示され、指示データＭ２が点滅表示されてもよいし、指示データＭ１が赤光表示され、指示データＭ２が青光表示されてもよい。
【０１１３】
上述の実施形態において、点検対象の機器がボイラ本体４であり、点検札２０が付けられる機器が遮断装置６であることとした。点検対象の機器は、ボイラ本体４でなくてもよい。点検対象の機器は、例えば水質監視装置、熱交換器、及び温水製造装置の少なくとも一つでもよい。また、点検札２０が付けられる機器は、点検対象の周辺の機器でもよいし、点検対象の機器でもよい。
【０１１４】
上述の実施形態において、記憶部２１３が情報端末２００に設けられることとした。記憶部２１３は、情報端末２００の外部に設けられてもよい。記憶部２１３が情報端末２００の外部に設けられる場合、情報端末２００と記憶部２１３とはインターネットのようなネットワークを介して接続されてもよい。情報端末２００の外部に設けられる記憶部２１３として、例えばクラウドサービス（cloud  service）により提供されるクラウドコンピューティング（cloud  computing）の記憶装置が使用されてもよい。
【符号の説明】
【０１１５】
１…ボイラシステム、２…水管、３…缶体、４…ボイラ本体、５…流通ライン、５Ａ…給水ライン、５Ｂ…排水ライン、５Ｃ…蒸気ライン、５Ｄ…燃料ライン、６…遮断装置、６Ａ…給水バルブ、６Ｂ…排水バルブ、６Ｃ…蒸気バルブ、６Ｄ…燃料バルブ、１０…点検管理システム、２０…点検札、３０…収容空間、４０…収容部材、５０…センサ、６１…アイコン、６２…アイコン、６３…アイコン、６４…アイコン、６５…アイコン、６６…アイコン、６７…アイコン、６８…アイコン、１００…点検管理装置、１１０…処理装置、１１１…検出データ取得部、１１２…判定部、１１３…解除指令出力部、１１４…対象抽出部、１１５…表示指示部、１２０…通信装置、２００…情報端末、２１０…処理装置、２１１…入力データ取得部、２１２…解除部、２１３…記憶部、２１４…表示制御部、２２０…通信装置、２３０…入力装置、２４０…表示装置。
【図１】
2020042351.tif 000003
【図２】
2020042351.tif 000004
【図３】
2020042351.tif 000005
【図４】
2020042351.tif 000006
【図５】
2020042351.tif 000007
【図６】
2020042351.tif 000008
【図７】
2020042351.tif 000009
【図８】
2020042351.tif 000010
【図９】
2020042351.tif 000011
【図１０】
2020042351.tif 000012
【図１１】
2020042351.tif 000013
【図１２】
2020042351.tif 000014
【図１３】
2020042351.tif 000015